【手続補正書】
【提出日】令和3年9月6日(2021.9.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行されるワイヤレス通信のための方法であって、
基地局から、追跡基準信号（ＴＲＳ）バーストパターンのための第１のバースト持続時間と第２のバースト持続時間とを示す構成情報を受信すること、前記第１のバースト持続時間は、前記第２のバースト持続時間とは異なる、と、
前記構成情報に少なくとも部分的に基づいて前記第１のバースト持続時間を有する第１のＴＲＳバーストと前記第２のバースト持続時間を有する第２のＴＲＳバーストとを検出することと、
前記検出された第１のＴＲＳバーストと前記第２のＴＲＳバーストとに少なくとも部分的に基づいてリソース追跡を実行することと、
前記構成情報から、複数のバースト持続時間と、前記複数のバースト持続時間の各々についての対応する時間間隔持続時間とを決定すること、前記複数のバースト持続時間は、前記第１および第２のバースト持続時間を含む、と、
前記複数のバースト持続時間と、前記対応する時間間隔持続時間とに少なくとも部分的に基づいて、前記基地局からの、複数のＴＲＳバーストについてモニタすること、前記複数のＴＲＳバーストは、前記第１および第２のＴＲＳバーストを含む、と
を備え、前記複数のＴＲＳバースト形式、前記ＴＲＳバーストパターンとは、周期的に受信される、方法。
【請求項２】
前記構成情報から、前記第１のバースト持続時間が第１の時間間隔に対応し、前記第２のバースト持続時間が第２の時間間隔に対応すると決定することをさらに備え、前記第２の時間間隔は、前記第１の時間間隔の後に発生する、
請求項１に記載の方法。
【請求項３】
前記構成情報から、ＴＲＳバーストの送信が、複数の時間間隔の各時間間隔において前記第１のバースト持続時間と前記第２のバースト持続時間とで交互になるようにスケジュールされていると決定することをさらに備える、
請求項１に記載の方法。
【請求項４】
前記構成情報から、第１のリソースと第２のリソースとが前記ＵＥに割り振られていると決定することをさらに備え、前記第１のバースト持続時間は、前記第１のリソースに対応し、前記第２のバースト持続時間は、前記第２のリソースに対応する、
請求項１に記載の方法。
【請求項５】
前記構成情報から、時間間隔の周期性と時間オフセットとを決定することをさらに備え、前記第１のバースト持続時間を有する前記第１のＴＲＳバーストと前記第２のバースト持続時間を有する前記第２のＴＲＳバーストとを検出することは、
前記時間間隔の各インスタンス内で、第１のロケーションにおいて前記第１のバースト持続時間を有するＴＲＳバーストと前記オフセットに対応する第２のロケーションにおいて前記第２のバースト持続時間を有するＴＲＳバーストとについてモニタすることを備える、
請求項４に記載の方法。
【請求項６】
前記第１のリソースが送信時間間隔（ＴＴＩ）中に前記第２のリソースと衝突するようにスケジュールされていると決定することをさらに備える、
請求項４に記載の方法。
【請求項７】
前記構成情報またはルールに少なくとも部分的に基づいて、前記第２のリソースに対する前記第１のリソースの優先順序を決定することと、
前記優先順序に少なくとも部分的に基づいて前記ＴＴＩ内で前記第１のＴＲＳバーストまたは前記第２のＴＲＳバーストのうちの１つについてモニタすることと
をさらに備える、請求項６に記載の方法。
【請求項８】
前記構成情報から、少なくとも１つのＴＲＳパラメータを決定することをさらに備え、前記少なくとも１つのＴＲＳパラメータは、ＴＲＳバースト持続時間パラメータ、ＴＲＳバースト周期性パラメータ、ＴＲＳトーンの態様、ＴＲＳシンボル間隔パラメータ、ＴＲＳ数パラメータ、オフセットパラメータ、およびＴＲＳ帯域幅パラメータのうちの１つまたは複数である、
請求項１に記載の方法。
【請求項９】
前記構成情報から、周波数オフセットパラメータを決定することと、
前記周波数オフセットパラメータに少なくとも部分的に基づいて前記第１のＴＲＳバーストについてモニタすることと
をさらに備える、請求項１に記載の方法。
【請求項１０】
前記構成情報から、トーン間隔を決定することをさらに備え、前記第１のＴＲＳバーストについてモニタすることは、前記トーン間隔に少なくとも部分的に基づく、
請求項９に記載の方法。
【請求項１１】
基地局によって実行されるワイヤレス通信のための方法であって、
追跡基準信号（ＴＲＳ）バーストパターンのための第１のバースト持続時間と第２のバースト持続時間とを選択すること、前記第１のバースト持続時間は、前記第２のバースト持続時間とは異なる、と、
ユーザ機器（ＵＥ）に、前記第１のバースト持続時間と前記第２のバースト持続時間とを示す構成情報を送信することと、
前記ＵＥに、前記第１のバースト持続時間を有する第１のＴＲＳバーストと前記第２のバースト持続時間を有する第２のＴＲＳバーストとを送信することと、
複数のバースト持続時間と、前記複数のバースト持続時間の各々についての対応する時間間隔持続時間とを決定すること、前記複数のバースト持続時間は、前記第１および第２のバースト持続時間を含み、前記構成情報は、前記複数のバースト持続期間と、前記対応する時間間隔持続時間を示す、と、
前記複数のバースト持続時間と、前記対応する時間間隔持続時間とに少なくとも部分的に基づいて、前記ＵＥに複数のＴＲＳバーストを送信すること、前記複数のＴＲＳバーストは、前記第１および第２のＴＲＳバーストを含む、と
を備え、前記複数のＴＲＳバースト形式、前記ＴＲＳバーストパターンとは、周期的に受信される、方法。
【請求項１２】
ワイヤレス通信に適合されたユーザ機器（ＵＥ）であって、
基地局から、追跡基準信号（ＴＲＳ）バーストパターンのための第１のバースト持続時間と第２のバースト持続時間とを示す構成情報を受信するための手段、前記第１のバースト持続時間は、前記第２のバースト持続時間とは異なる、と、
前記構成情報に少なくとも部分的に基づいて前記第１のバースト持続時間を有する第１のＴＲＳバーストと前記第２のバースト持続時間を有する第２のＴＲＳバーストとを検出するための手段と、
前記検出された第１のＴＲＳバーストと前記第２のＴＲＳバーストとに少なくとも部分的に基づいてリソース追跡を実行するための手段と、
前記構成情報から、複数のバースト持続時間と、前記複数のバースト持続時間の各々についての対応する時間間隔持続時間とを決定すること、前記複数のバースト持続時間は、前記第１および第２のバースト持続時間を含む、と、
前記複数のバースト持続時間と、前記対応する時間間隔持続時間とに少なくとも部分的に基づいて、前記基地局からの、複数のＴＲＳバーストについてモニタすること、前記複数のＴＲＳバーストは、前記第１および第２のＴＲＳバーストを含む、と
を備え、前記複数のＴＲＳバースト形式、前記ＴＲＳバーストパターンとは、周期的に受信される、ＵＥ。
【請求項１３】
ワイヤレス通信のために適合された基地局であって、
追跡基準信号（ＴＲＳ）バーストパターンのための第１のバースト持続時間と第２のバースト持続時間とを選択するための手段、前記第１のバースト持続時間は、前記第２のバースト持続時間とは異なる、と、
ユーザ機器（ＵＥ）に、前記第１のバースト持続時間と前記第２のバースト持続時間とを示す構成情報を送信するための手段と、
前記ＵＥに、前記第１のバースト持続時間を有する第１のＴＲＳバーストと前記第２のバースト持続時間を有する第２のＴＲＳバーストとを送信するための手段と、
複数のバースト持続時間と、前記複数のバースト持続時間の各々についての対応する時間間隔持続時間とを決定するための手段、前記複数のバースト持続時間は、前記第１および第２のバースト持続時間を含み、前記構成情報は、前記複数のバースト持続期間と、前記対応する時間間隔持続時間を示す、と、
前記複数のバースト持続時間と、前記対応する時間間隔持続時間とに少なくとも部分的に基づいて、前記ＵＥに複数のＴＲＳバーストを送信するための手段、前記複数のＴＲＳバーストは、前記第１および第２のＴＲＳバーストを含む、と
を備え、前記複数のＴＲＳバースト形式、前記ＴＲＳバーストパターンとは、周期的に受信される、基地局。
【請求項１４】
ユーザ機器（ＵＥ）または基地局のプロセッサによって実行されると、前記プロセッサに、前記ＵＥに関連付けられる場合においては請求項１乃至１０のいずれか１項、または前記基地局に関連付けられる場合においては請求項１１に記載の方法を行わせることが実行可能な命令を備える非一時的コンピュータ可読媒体。
【手続補正２】
【補正対象書類名】明細書
【補正対象項目名】０２３７
【補正方法】変更
【補正の内容】
【０２３７】
[0245]本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
以下に、本願出願の当初の特許請求の範囲に記載された発明を付記する。
［Ｃ１］
ユーザ機器（ＵＥ）によるワイヤレス通信のための方法であって、
追跡基準信号（ＴＲＳ）バーストのための第１のバースト持続時間と第２のバースト持続時間とを示す構成情報を受信すること、前記第１のバースト持続時間は、前記第２のバースト持続時間とは異なる、と、
前記構成情報に少なくとも部分的に基づいて前記第１のバースト持続時間を有する第１のＴＲＳバーストと前記第２のバースト持続時間を有する第２のＴＲＳバーストとを検出することと、
前記検出された第１のＴＲＳバーストと前記第２のＴＲＳバーストとに少なくとも部分的に基づいてリソース追跡を実行することと
を備える、方法。
［Ｃ２］
前記構成情報から、前記第１のバースト持続時間が第１の時間間隔に対応し、前記第２のバースト持続時間が第２の時間間隔に対応すると決定することをさらに備え、前記第２の時間間隔は、前記第１の時間間隔の後に発生する、
Ｃ１に記載の方法。
［Ｃ３］
前記構成情報から、ＴＲＳバーストの送信が、複数の時間間隔の各時間間隔において前記第１のバースト持続時間と前記第２のバースト持続時間とで交互になるようにスケジュールされていると決定することをさらに備える、
Ｃ１に記載の方法。
［Ｃ４］
前記構成情報から、第１のリソースと第２のリソースとが前記ＵＥに割り振られていると決定することをさらに備え、前記第１のバースト持続時間は、前記第１のリソースに対応し、前記第２のバースト持続時間は、前記第２のリソースに対応する、
Ｃ１に記載の方法。
［Ｃ５］
前記構成情報から、時間間隔の周期性と時間オフセットとを決定すること、ここにおいて、前記第１のバースト持続時間を有する前記第１のＴＲＳバーストと前記第２のバースト持続時間を有する前記第２のＴＲＳバーストとを検出することは、
前記時間間隔の各インスタンス内で、第１のロケーションにおいて前記第１のバースト持続時間を有するＴＲＳバーストと前記オフセットに対応する第２のロケーションにおいて前記第２のバースト持続時間を有するＴＲＳバーストとについてモニタすることを備える、
Ｃ４に記載の方法。
［Ｃ６］
前記第１のリソースが送信時間間隔（ＴＴＩ）中に前記第２のリソースと衝突するようにスケジュールされていると決定することをさらに備える、
Ｃ４に記載の方法。
［Ｃ７］
前記構成情報またはルールに少なくとも部分的に基づいて、前記第２のリソースに対する前記第１のリソースの優先順序を決定することと、
前記優先順序に少なくとも部分的に基づいて前記ＴＴＩ内で前記第１のＴＲＳバーストまたは前記第２のＴＲＳバーストのうちの１つについてモニタすることと
をさらに備える、Ｃ６に記載の方法。
［Ｃ８］
前記構成情報から、少なくとも１つのＴＲＳパラメータを決定することをさらに備え、前記少なくとも１つのＴＲＳパラメータは、ＴＲＳバースト持続時間パラメータ、ＴＲＳバースト周期性パラメータ、ＴＲＳトーンの態様、ＴＲＳシンボル間隔パラメータ、ＴＲＳ数パラメータ、オフセットパラメータ、およびＴＲＳ帯域幅パラメータのうちの１つまたは複数である、
Ｃ１に記載の方法。
［Ｃ９］
前記構成情報から、複数のバースト持続時間と、前記複数のバースト持続時間の各々についての対応する時間間隔持続時間とを決定すること、前記複数のバースト持続時間は、前記第１および第２のバースト持続時間を含む、と、
前記複数のバースト持続時間と、前記対応する時間間隔持続時間とに少なくとも部分的に基づいて、複数のＴＲＳバーストについてモニタすること、前記複数のＴＲＳバーストは、前記第１および第２のＴＲＳバーストを含む、と
をさらに備える、Ｃ１に記載の方法。
［Ｃ１０］
前記構成情報から、周波数オフセットパラメータを決定することと、
前記周波数オフセットパラメータに少なくとも部分的に基づいて前記第１のＴＲＳバーストについてモニタすることと
をさらに備える、Ｃ１に記載の方法。
［Ｃ１１］
前記構成情報から、トーン間隔を決定することをさらに備え、前記第１のＴＲＳバーストについてモニタすることは、前記トーン間隔に少なくとも部分的に基づく、
Ｃ１０に記載の方法。
［Ｃ１２］
基地局によるワイヤレス通信のための方法であって、
追跡基準信号（ＴＲＳ）バーストのための第１のバースト持続時間と第２のバースト持続時間とを選択すること、前記第１のバースト持続時間は、前記第２のバースト持続時間とは異なる、と、
前記第１のバースト持続時間と前記第２のバースト持続時間とを示す構成情報を送信することと、
前記第１のバースト持続時間を有する第１のＴＲＳバーストと前記第２のバースト持続時間を有する第２のＴＲＳバーストとを送信することと
を備える、方法。
［Ｃ１３］
前記第１のＴＲＳバーストと前記第２のＴＲＳバーストとを送信することは、
複数の時間間隔の各時間間隔において前記第１のＴＲＳバーストと前記第２のＴＲＳバーストの送信を交互に行うことを備える、
Ｃ１２に記載の方法。
［Ｃ１４］
ユーザ機器（ＵＥ）に第１のリソースと第２のリソースとを割り振ることをさらに備え、前記構成情報は、前記第１のリソースと前記第２のリソースとの各々が前記ＵＥに割り振られていることを示す、
Ｃ１２に記載の方法。
［Ｃ１５］
前記第１のリソースと前記第２のリソースとの間の時間オフセットを決定することをさらに備え、前記構成情報は、前記時間オフセットを示す、
Ｃ１４に記載の方法。
［Ｃ１６］
前記第２のリソースに対する前記第１のリソースの優先順序を決定することをさらに備え、前記構成情報は、前記優先順序を示す、
Ｃ１４に記載の方法。
［Ｃ１７］
複数のバースト持続時間と、前記複数のバースト持続時間の各々についての対応する時間間隔持続時間とを決定することをさらに備え前記複数のバースト持続時間は、前記第１および第２のバースト持続時間を含み、前記構成情報は、前記複数のバースト持続時間と、前記対応する時間間隔持続時間とを示す、
Ｃ１４に記載の方法。
［Ｃ１８］
ユーザ機器（ＵＥ）によるワイヤレス通信のための方法であって、
周波数オフセットパラメータを示す構成情報を受信することと、
前記周波数オフセットパラメータに少なくとも部分的に基づいて周波数帯域内の追跡基準信号（ＴＲＳ）送信を検出することと、
前記検出されたＴＲＳ送信に少なくとも部分的に基づいてリソース追跡を実行することと
を備える、方法。
［Ｃ１９］
前記構成情報から、トーン間隔を決定することと、
基準周波数に対する前記周波数帯域内の前記ＴＲＳ送信の少なくとも１つのＴＲＳトーンのロケーションを決定するために前記周波数オフセットパラメータと前記トーン間隔とを処理することと
をさらに備える、Ｃ１８に記載の方法。
［Ｃ２０］
第１の送信時間間隔（ＴＴＩ）に対応する第１のオフセット値と第２のＴＴＩに対応する第２のオフセット値とを決定するために前記周波数オフセットパラメータを処理することと、
前記第１のオフセット値に対応する前記第１のＴＴＩ内で前記ＴＲＳ送信のＴＲＳトーンと、前記第２のオフセット値に対応する前記第２のＴＴＩ内で前記ＴＲＳ送信のＴＲＳトーンとについてモニタすることと
をさらに備える、Ｃ１８に記載の方法。
［Ｃ２１］
前記周波数オフセットパラメータは、リソース要素の数でオフセットを示す、
Ｃ１８に記載の方法。
［Ｃ２２］
前記周波数オフセットパラメータは、システム帯域幅内の複数の異なる帯域幅部分の帯域幅部分を示す、
Ｃ１８に記載の方法。
［Ｃ２３］
前記構成情報から、前記ＴＲＳ送信のための第１のバースト持続時間と第２のバースト持続時間とを決定することと、
前記構成情報に少なくとも部分的に基づいて前記第１のバースト持続時間を有する前記ＴＲＳ送信と前記第２のバースト持続時間を有する第２のＴＲＳ送信とについてモニタすることと
をさらに備える、Ｃ１８に記載の方法。
［Ｃ２４］
前記周波数オフセットパラメータから、複数のシンボルインデックスのオフセット値を決定することと、
前記複数のシンボルインデックスに対応する複数のそれぞれのシンボル期間において、前記ＴＲＳ送信のＴＲＳトーンについてモニタすることと
をさらに備える、Ｃ１８に記載の方法。
［Ｃ２５］
基地局によるワイヤレス通信のための方法であって、
周波数オフセットパラメータを選択することと、
前記周波数オフセットパラメータを示す構成情報を送信することと、
前記周波数オフセットパラメータに対応する周波数オフセットを有する追跡基準信号（ＴＲＳ）送信を送信することと
を備える、方法。
［Ｃ２６］
前記ＴＲＳ送信のためのトーン間隔を決定することをさらに備え、前記構成情報は、前記トーン間隔を示す、
Ｃ２５に記載の方法。
［Ｃ２７］
第１の送信時間間隔（ＴＴＩ）に対応する第１のオフセット値と第２のＴＴＩに対応する第２のオフセット値とを決定すること、ここにおいて、前記周波数オフセットパラメータは、前記第１のオフセット値と前記第２のオフセット値とを示し、前記ＴＲＳ送信を送信することは、
前記第１のオフセット値に対応する前記第１のＴＴＩ内で前記ＴＲＳ送信のＴＲＳトーンを送信し、前記第２のオフセット値に対応する前記第２のＴＴＩ内で前記ＴＲＳ送信のＴＲＳトーンを送信することを備える、
Ｃ２５に記載の方法。
［Ｃ２８］
前記周波数オフセットパラメータは、リソース要素の数でオフセットを示す、
Ｃ２７に記載の方法。
［Ｃ２９］
前記周波数オフセットパラメータは、システム帯域幅内の複数の異なる帯域幅部分の帯域幅部分を示す、
Ｃ２７に記載の方法。
［Ｃ３０］
複数のシンボルインデックスのオフセット値を決定することをさらに備え、前記構成情報は、前記複数のシンボルインデックスを示す、
Ｃ２７に記載の方法。
［Ｃ３１］
ワイヤレス通信のための装置であって、
追跡基準信号（ＴＲＳ）バーストのための第１のバースト持続時間と第２のバースト持続時間とを示す構成情報を受信するための手段、前記第１のバースト持続時間は、前記第２のバースト持続時間とは異なる、と、
前記構成情報に少なくとも部分的に基づいて前記第１のバースト持続時間を有する第１のＴＲＳバーストと前記第２のバースト持続時間を有する第２のＴＲＳバーストとを検出するための手段と、
前記検出された第１のＴＲＳバーストと前記第２のＴＲＳバーストとに少なくとも部分的に基づいてリソース追跡を実行するための手段と
を備える、装置。
［Ｃ３２］
前記構成情報から、前記第１のバースト持続時間が第１の時間間隔に対応し、前記第２のバースト持続時間が第２の時間間隔に対応すると決定するための手段をさらに備え、前記第２の時間間隔は、前記第１の時間間隔の後に発生する、
Ｃ３１に記載の装置。
［Ｃ３３］
前記構成情報から、ＴＲＳバーストの送信が、複数の時間間隔の各時間間隔において前記第１のバースト持続時間と前記第２のバースト持続時間とで交互になるようにスケジュールされていると決定するための手段をさらに備える、
Ｃ３１に記載の装置。
［Ｃ３４］
前記構成情報から、第１のリソースと第２のリソースとがユーザ機器（ＵＥ）に割り振られていると決定するための手段をさらに備え、前記第１のバースト持続時間は、前記第１のリソースに対応し、前記第２のバースト持続時間は、前記第２のリソースに対応する
Ｃ３１に記載の装置。
［Ｃ３５］
前記構成情報から、時間間隔の周期性と時間オフセットとを決定するための手段をさらに備え、前記第１のバースト持続時間を有する前記第１のＴＲＳバーストと前記第２のバースト持続時間を有する前記第２のＴＲＳバーストとを前記検出するための手段は、
前記時間間隔の各インスタンス内で、第１のロケーションにおいて前記第１のバースト持続時間を有するＴＲＳバーストと前記オフセットに対応する第２のロケーションにおいて前記第２のバースト持続時間を有するＴＲＳバーストとについてモニタするための手段をさらに備える、
Ｃ３４に記載の装置。
［Ｃ３６］
前記第１のリソースが送信時間間隔（ＴＴＩ）中に前記第２のリソースと衝突するようにスケジュールされていると決定するための手段をさらに備える、
Ｃ３４に記載の装置。
［Ｃ３７］
前記構成情報またはルールに少なくとも部分的に基づいて、前記第２のリソースに対する前記第１のリソースの優先順序を決定するための手段と、
前記優先順序に少なくとも部分的に基づいて前記ＴＴＩ内で前記第１のＴＲＳバーストまたは前記第２のＴＲＳバーストのうちの１つについてモニタするための手段と
をさらに備える、Ｃ３６に記載の装置。
［Ｃ３８］
前記構成情報から、少なくとも１つのＴＲＳパラメータを決定するための手段をさらに備え、前記少なくとも１つのＴＲＳパラメータは、ＴＲＳバースト持続時間、ＴＲＳバースト周期性パラメータ、ＴＲＳトーンの態様、ＴＲＳシンボル間隔パラメータ、ＴＲＳ数パラメータ、オフセットパラメータ、およびＴＲＳ帯域幅パラメータのうちの１つまたは複数である、
Ｃ３６に記載の装置。
［Ｃ３９］
ワイヤレス通信のための装置であって、
追跡基準信号（ＴＲＳ）バーストのための第１のバースト持続時間と第２のバースト持続時間とを選択するための手段、前記第１のバースト持続時間は、前記第２のバースト持続時間とは異なる、と、
前記第１のバースト持続時間と前記第２のバースト持続時間とを示す構成情報を送信するための手段と、
前記第１のバースト持続時間を有する第１のＴＲＳバーストと前記第２のバースト持続時間を有する第２のＴＲＳバーストとを送信するための手段と
を備える、装置。
［Ｃ４０］
前記第１のＴＲＳバーストと前記第２のＴＲＳバーストとを前記送信するための手段は、
複数の時間間隔の各時間間隔において前記第１のＴＲＳバーストと前記第２のＴＲＳバーストの送信を交互に行うための手段さらに備える、
Ｃ３９に記載の装置。
［Ｃ４１］
ユーザ機器（ＵＥ）に第１のリソースと第２のリソースとを割り振るための手段をさらに備え、前記構成情報は、前記第１のリソースと前記第２のリソースとの各々が前記ＵＥに割り振られていることを示す、
Ｃ３９に記載の装置。
［Ｃ４２］
前記第１のリソースと前記第２のリソースとの間の時間オフセットを決定するための手段をさらに備え、前記構成情報が前記時間オフセットを示す、
Ｃ４１に記載の装置。
［Ｃ４３］
前記第２のリソースに対する前記第１のリソースの優先順序を決定するための手段をさらに備え、前記構成情報は、前記優先順序を示す、
Ｃ４１に記載の装置。
［Ｃ４４］
ワイヤレス通信のための装置であって、
周波数オフセットパラメータを示す構成情報を受信するための手段と、
前記周波数オフセットパラメータに少なくとも部分的に基づいて周波数帯域内の追跡基準信号（ＴＲＳ）送信を検出するための手段と、
前記検出されたＴＲＳ送信に少なくとも部分的に基づいてリソース追跡を実行するための手段と
を備える、装置。
［Ｃ４５］
前記構成情報から、トーン間隔を決定するための手段と、
基準周波数に対する前記周波数帯域内の前記ＴＲＳ送信の少なくとも１つのＴＲＳトーンのロケーションを決定するために前記周波数オフセットパラメータと前記トーン間隔とを処理するための手段と
をさらに備える、Ｃ４４に記載の装置。
［Ｃ４６］
第１の送信時間間隔（ＴＴＩ）に対応する第１のオフセット値と第２のＴＴＩに対応する第２のオフセット値とを決定するために前記周波数オフセットパラメータを処理するための手段と、
前記第１のオフセット値に対応する前記第１のＴＴＩ内で前記ＴＲＳ送信のＴＲＳトーンと、前記第２のオフセット値に対応する前記第２のＴＴＩ内で前記ＴＲＳ送信のＴＲＳトーンとについてモニタするための手段と
をさらに備える、Ｃ４４に記載の装置。
［Ｃ４７］
ワイヤレス通信のための装置であって、
周波数オフセットパラメータを選択するための手段と、
前記周波数オフセットパラメータを示す構成情報を送信するための手段と、
前記周波数オフセットパラメータに対応する周波数オフセットを有する追跡基準信号（ＴＲＳ）送信を送信するための手段と
を備える、装置。
［Ｃ４８］
前記ＴＲＳ送信のためのトーン間隔を決定するための手段をさらに備え、前記構成情報は、前記トーン間隔を示す、
Ｃ４７に記載の装置。
［Ｃ４９］
第１の送信時間間隔（ＴＴＩ）に対応する第１のオフセット値と第２のＴＴＩに対応する第２のオフセット値とを決定するための手段をさらに備え、前記周波数オフセットパラメータは、前記第１のオフセット値と前記第２のオフセット値とを示し、前記ＴＲＳ送信を前記送信するための手段は、
前記第１のオフセット値に対応する前記第１のＴＴＩ内で前記ＴＲＳ送信のＴＲＳトーンを送信し、前記第２のオフセット値に対応する前記第２のＴＴＩ内で前記ＴＲＳ送信のＴＲＳトーンを送信するための手段をさらに備える、
Ｃ４７に記載の装置。